【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
一対の基板と、該一対の基板間に配置した液晶層とを有する液晶表示パネルにおいて、
前記一対の基板の一方の基板に、ある方向に伸びた第１の電極，第２の電極、及び第３の電極を有し、
１フレーム期間内の初期段階と途中段階で、前記第１の電極，前記第２の電極、または前記第３の電極に与える少なくとも一つの電位を変えて表示を制御するように構成した液晶表示パネル。
【請求項２】
一対の基板と、該一対の基板間に配置された液晶層を有する液晶表示装置において、
前記一対の基板の一方の基板上には、
複数の第１の信号線と、複数の第２の信号線と、前記複数の第１の信号線及び前記複数の第２の信号線に交差するように配置した複数の第１の走査線と、前記複数の第１の信号線及び前記複数の第２の信号線に交差するように配置した複数の第２の走査線とを配置し、前記複数の第１の信号線及び前記複数の第１の走査線のそれぞれの交点付近に対応して配置した第１の能動素子と、前記複数の第２の信号線及び前記複数の第２の走査線のそれぞれの交点付近に対応して配置した第２の能動素子と、前記第１の能動素子に接続されある方向に伸びた第１の電極と、該第１の電極と同じ方向に伸びた第２の電極と、前記第２の能動素子に接続され前記第１の電極と前記第２の電極間の前記第１の電極により近い位置に前記第１の電極と同じ方向に伸びて配置された第３の電極とを有し、
１フレーム期間の始めは、前記第１の電極と前記第２の電極間の電位差と、前記第２の電極と前記第３の電極間の電位差とが異なるように各電極に電位を与え、１フレーム期間の途中で、前記第１の電極と前記第２の電極間の電位差と、前記第２の電極と前記第３の電極間の電位差とが実質的に同一になるように各電極に電位を与えるように構成した液晶表示パネル。
【請求項３】
一対の基板と、該一対の基板間に配置された液晶層を有する液晶表示パネルにおいて、
前記一対の基板の一方の基板上には、
複数の第１の信号線と、複数の第２の信号線と、前記複数の第１の信号線及び前記複数の第２の信号線に交差するように配置した複数の走査線とを配置し、前記複数の第１の信号線及び前記複数の走査線のそれぞれの交点付近に対応して配置した第１の能動素子と、前記複数の第２の信号線及び前記複数の走査線のそれぞれの交点付近に対応して配置した第２の能動素子と、前記第１の能動素子に接続されある方向に伸びた第１の電極と、該第１の電極と同じ方向に伸びた第２の電極と、前記第２の能動素子に接続され前記第１の電極と前記第２の電極間の前記第１の電極により近い位置に前記第１の電極と同じ方向に伸びて配置された第３の電極とを有し、
１フレーム期間の始めは、前記第１の電極と前記第２の電極間の電位差と、前記第２の電極と前記第３の電極間の電位差とが異なるように各電極に電位を与え、１フレーム期間の途中で、前記第１の電極と前記第２の電極間の電位差と、前記第２の電極と前記第３の電極間の電位差とが実質的に同一になるように各電極に電位を与えるように構成した液晶表示パネル。
【請求項４】
一対の基板と、該一対の基板間に配置された液晶層を有する液晶表示パネルにおいて、
前記一対の基板の一方の基板上には、
複数の信号線と、該複数の信号線に交差するように配置した複数の第１の走査線と、前記複数の信号線に交差するように配置した複数の第２の走査線とを配置し、前記複数の信号線及び前記複数の第１の走査線のそれぞれの交点付近に対応して配置した第１の能動素子と、前記複数の信号線及び前記複数の第２の走査線のそれぞれの交点付近に対応して配置した第２の能動素子と、前記第１の能動素子に接続されある方向に伸びた第１の電極と、該第１の電極と同じ方向に伸びた第２の電極と、前記第２の能動素子に接続され前記第１の電極と前記第２の電極間の前記第１の電極により近い位置に前記第１の電極と同じ方向に伸びて配置された第３の電極とを有し、
１フレーム期間の始めは、前記第１の電極と前記第２の電極間の電位差と、前記第２の電極と前記第３の電極間の電位差とが異なるように各電極に電位を与え、１フレーム期間の途中で、前記第１の電極と前記第２の電極間の電位差と、前記第２の電極と前記第３の電極間の電位差とが実質的に同一になるように各電極に電位を与えるように構成した液晶表示パネル。
【請求項５】
一対の基板と、該一対の基板間に配置された液晶層を有する液晶表示パネルにおいて、
前記一対の基板の一方の基板上には、
複数の信号線と、該複数の信号線に交差するように配置した複数の走査線とを配置し、前記複数の信号線及び前記複数のそれぞれの交点付近に対応して配置した第１の能動素子及び該第１の能動素子とは閾値電圧特性が異なる第２の能動素子と、前記第１の能動素子に接続されある方向に伸びた第１の電極と、該第１の電極と同じ方向に伸びた第２の電極と、前記第２の能動素子に接続され前記第１の電極と前記第２の電極間の前記第１の電極により近い位置に前記第１の電極と同じ方向に伸びて配置された第３の電極とを有し、
１フレーム期間の始めは、前記第１の電極と前記第２の電極間の電位差と、前記第２の電極と前記第３の電極間の電位差とが異なるように各電極に電位を与え、１フレーム期間の途中で、前記第１の電極と前記第２の電極間の電位差と、前記第２の電極と前記第３の電極間の電位差とが実質的に同一になるように各電極に電位を与えるように構成した液晶表示パネル。
【請求項６】
少なくとも一方が透明な一対の基板と、前記一対の基板に挟持された液晶層とを有し、前記一対の基板の一方の基板は、第１の電極及び第２の電極並びに能動素子を有し、前記第１の電極と前記第２の電極との間に電圧を印加することにより、前記液晶の配向を制御して表示を行う液晶表示装置において、
前記第１の電極と前記第２の電極の間に、前記第１の電極若しくは前記第２の電極のどちらかに近づけるように第３の電極を配置し、前記第１の電極と前記第２の電極のうち、前記第３の電極との距離が近い側に配置された電極と、前記第３の電極の電位差ΔＶ1 が、１フレーム周期内の初期時に比べ１フレーム周期内に小さくなるように駆動するように構成したことを特徴とする液晶表示パネル。
【請求項７】
少なくとも一方の基板が透明基板である一対の基板と、該一対の基板間に配置した液晶層とを有する液晶表示パネルにおいて、
前記一対の基板の一方の基板には複数の画素により構成される表示領域を有し、前記画素内には、ある方向に伸びた第１の電極，第２の電極、及び第３の電極を配置し、
１フレーム期間内の初期段階と途中段階で、それぞれ前記第１の電極，前記第２の電極、または前記第３の電極に与える電位を変えて表示を制御するように構成した液晶表示パネル。
【請求項８】
少なくとも一方の基板が透明基板である一対の基板と、該一対の基板間に配置した液晶層とを有する液晶表示パネルにおいて、
１フレーム期間内の初期段階と途中段階で、前記液晶層中に形成される電界を変えて表示を制御するように構成した液晶表示パネル。
【請求項９】
一対の基板と、該一対の基板間に配置した液晶層と、前記一対の基板の一方の基板に配置したある方向に伸びた第１の電極，第２の電極、及び第３の電極とを有し、１フレーム期間内の初期段階と途中段階で、それぞれ前記第１の電極，前記第２の電極、または前記第３の電極に与える電位を変えて表示を制御するように構成した液晶表示パネルと、
光源と、を有する液晶表示装置。
【請求項１０】
一対の基板と、該一対の基板間に配置した液晶層と、前記一対の基板の一方の基板に配置したある方向に伸びた第１の電極，第２の電極、及び第３の電極とを有し、１フレーム期間内の初期段階と途中段階で、それぞれ前記第１の電極，前記第２の電極、または前記第３の電極に与える電位を変えて表示を制御するように構成した液晶表示パネルと、
光源と、
該光源を制御するインバータ回路と、
チューナーとを有する液晶テレビ。